(57)【特許請求の範囲】
【請求項１】
（Ａ）交換機からトラヒック量を示すトラヒックデータをあらかじめ定められた一定の時間間隔で取得し、前記トラヒックデータが示すトラヒック量があらかじめ定められた第１のしきい値を超えたとき、前記トラヒック量があらかじめ定められた前記第１のしきい値を超えたことを示すトラヒック異常信号を出力するトラヒック監視手段、
（Ｂ）前記トラヒック異常信号を入力したとき、あらかじめ定められた第１の時間が経過した後、前記トラヒック監視手段により前記交換機から新たに取得されたトラヒックデータが示すトラヒック量も再度前記第１のしきい値を超えていたことにより前記トラヒック監視手段が出力した新たなトラヒック異常信号を入力した場合に、前記交換機に発信規制制御信号を出力する第１の発信規制制御手段、
を備え、前記トラヒック監視手段は、前記第１の発信規制制御手段が前記交換機に発信規制制御信号を出力した後で、前記交換機から取得したトラヒックデータが示すトラヒック量が前記あらかじめ定められた第１のしきい値を超えない正常値に復帰したとき、前記交換機から取得したトラヒックデータが示すトラヒック量が正常値に復帰したことを示すトラヒック正常信号を出力し、前記第１の発信規制制御手段は、前記トラヒック正常信号を入力したとき、あらかじめ定められた第１の時間が経過してから前記トラヒック監視手段が前記交換機から新たに取得したトラヒックデータが示すトラヒック量も再度正常値に復帰していることにより前記トラヒック監視手段が出力した新たなトラヒック正常信号を入力した場合に、前記交換機に発信規制解除信号を出力することを特徴とする移動通信システムの発信規制方式。
【請求項２】
（Ａ）交換機を構成するセントラル・プロセッサ・ユニットのランダム・アクセス・メモリのメモリ使用率を示すメモリ使用率データをあらかじめ定められた一定の時間間隔で前記交換機から取得し、前記メモリ使用率データが示すメモリ使用率が、あらかじめ定められた第２のしきい値を超えたとき、前記メモリ使用率が前記あらかじめ定められた第２のしきい値を超えたことを示すメモリ使用率異常信号を出力するメモリ使用率監視手段、
（Ｂ）前記メモリ使用率異常信号を入力したとき、あらかじめ定められた第２の時間が経過した後、前記メモリ使用率監視手段により前記交換機から新たに取得されたメモリ使用率データが示すメモリ使用率も再度前記第２のしきい値を超えていたことにより前記メモリ使用率監視手段が出力した新たなメモリ使用率異常信号を入力した場合に、前記交換機に発信規制制御信号を出力する第２の発信規制制御手段、
を備え、前記メモリ使用率監視手段は、前記第２の発信規制制御手段が前記交換機に発信規制制御信号を出力した後で、前記交換機から取得したメモリ使用率データが示すメモリ使用率が前記あらかじめ定められた第２のしきい値を超えない正常値に復帰したとき、前記交換機から取得したメモリ使用率データが示すメモリ使用率が正常値に復帰したことを示すメモリ使用率正常信号を出力し、前記第２の発信規制制御手段は、前記メモリ使用率正常信号を入力したとき、あらかじめ定められた第２の時間が経過してから前記メモリ使用率監視手段が前記交換機から新たに取得したメモリ使用率データが示すメモリ使用率も再度正常値に復帰していることにより前記前記メモリ使用率監視手段が出力した新たなメモリ使用率正常信号を入力した場合に、前記交換機に発信規制解除信号を出力することを特徴とする移動通信システムの発信規制方式。
【請求項３】
（Ａ）交換機からトラヒック量を示すトラヒックデータをあらかじめ定められた一定の時間間隔で取得し、前記トラヒックデータが示すトラヒック量があらかじめ定められた第１のしきい値を超えたとき、前記トラヒック量が前記あらかじめ定められた第１のしきい値を超えたことを示すトラヒック異常信号を出力するトラヒック監視手段、
（Ｂ）前記交換機を構成するセントラル・プロセッサ・ユニットのランダム・アクセス・メモリのメモリ使用率を示すメモリ使用率データをあらかじめ定められた一定の時間間隔で前記交換機から取得し、前記メモリ使用率データが示すメモリ使用率が、あらかじめ定められた第２のしきい値を超えたとき、前記メモリ使用率が前記あらかじめ定められた第２のしきい値を超えたことを示すメモリ使用率異常信号を出力するメモリ使用率監視手段、（Ｃ）前記トラヒック異常信号が入力され、あらかじめ定められた第１の時間が経過した後、前記トラヒック監視手段により前記交換機から新たに取得されたトラヒックデータが示すトラヒック量も再度前記第１のしきい値を超えていたことにより前記トラヒック監視手段が出力した新たなトラヒック異常信号を入力した場合か、又は、前記メモリ使用率異常信号が入力され、あらかじめ定められた第２の時間が経過した後、前記メモリ使用率監視手段により前記交換機から新たに取得されたメモリ使用率データが示すメモリ使用率も再度前記第２のしきい値を超えていたことにより前記メモリ使用率監視手段が出力した新たなメモリ使用率異常信号を入力した場合かのいずれかの場合に、前記交換機に発信規制制御信号を出力する第２の発信規制制御手段、
を備え、前記トラヒック監視手段は、トラヒック量が前記第１のしきい値を超えていたことにより前記第２の発信規制制御手段が前記交換機に発信規制制御信号を出力した後で、前記トラヒックデータが示すトラヒック量が前記あらかじめ定められた第１のしきい値と同じ値か、又は前記第１のしきい値を下回って正常値に復帰したとき、前記交換機から取得したトラヒックデータが示すトラヒック量が正常値に復帰したことを示すトラヒック正常信号を出力し、前記第２の発信規制制御手段は、前記トラヒック正常信号を入力した後、あらかじめ定められた第１の時間が経過してから前記トラヒック監視手段が前記交換機から新たに取得したトラヒックデータが示すトラヒック量も再度正常値に復帰していることを、前記トラヒック監視手段からの新たなトラヒック正常信号を入力したとき認識し、前記メモリ使用率監視手段は、メモリ使用率が前記第２のしきい値を超えていたことにより前記第２の発信規制制御手段が前記交換機に発信規制制御信号を出力した後で、前記メモリ使用率が前記あらかじめ定められた第２のしきい値と同じ値か、又は前記第２のしきい値を下回って正常値に復帰したとき、前記交換機から取得したメモリ使用率データが示すメモリ使用率が正常値に復帰したことを示すメモリ使用率正常信号を出力し、前記第２の発信規制制御手段は、前記メモリ使用率正常信号を入力した後、あらかじめ定められた第２の時間が経過してから前記メモリ使用率監視手段が前記交換機から新たに取得したメモリ使用率データが示すメモリ使用率も再度正常値に復帰していることを、前記メモリ使用率監視手段からの新たなメモリ使用率正常信号を入力したとき認識し、前記第２の発信規制制御手段が、前記トラヒック量と前記メモリ使用率とがともに正常に復帰した状態となったことを認識したとき、前記交換機に発信規制解除信号を出力することを特徴とする移動通信システムの発信規制方式。
【発明の詳細な説明】
【０００１】
【発明の属する技術分野】
本発明は移動通信システムの発信規制方式に関し、特に移動通信システムの交換機におけるトラヒック量及び交換機に使用されるセントラル・プロセッサ・ユニットのメモリの使用率を監視し、トラヒック量があらかじめ定めたレベルを超えたときか、又はセントラル・プロセッサ・ユニットのメモリの使用率があらかじめ定めたレベルを超えたときに発信規制を行う移動通信システムの発信規制方式に関する。
【０００２】
【従来の技術】
従来、移動通信システムの交換機におけるトラヒックが輻輳した際の無線基地局におけるトラヒック規制方式については、無線基地局を保守する保守者が、交換機側のトラヒックの輻輳状況に基づいて手動で発信規制の開始及び終了を行っていたが、このような規制を行うためには保守者の的確な判断が必要とされ、システムの安定動作の維持がなかなか困難であったた。この問題を解決するために、特許第２９６７９１５号公報及び特開平１０−１３９４９号公報にも開示されているように、トラヒック状況に応じて自動的に呼接続の規制制御を行う技術が開発されてきている。
【０００３】
上記に示すようにトラヒック状況に応じて自動的に呼接続の規制制御を行うことができるようにはなったが、これらの技術では、トラヒックが瞬間的に輻輳状態になっただけで直ちに輻輳状態が解消されるような場合でも、自動的に呼接続の規制制御を行ってしまうので、呼接続の規制制御を行ったばかりですぐに呼接続の規制制御を解除するという無用な規制動作が行われて、交換機に内蔵されるセントラル・プロセッサ・ユニット（以下、ＣＰＵという）に無用の負担をかけてしまうという問題が生じている。
【０００４】
また、近年のコンピュータ技術及び通信技術の急速な発展により、さまざまな通信サービスが行われるようになっているが、この通信サービスの多様化は交換機に内蔵されるＣＰＵにかかる負担をますます重くしており、場合によってはトラヒックの輻輳状況はそれほどでなくても、交換機に内蔵されるＣＰＵの負担が過大になって交換機の交換機能を麻痺させてしまうという問題も生じている。
【０００５】
上記のＣＰＵの負担が過大になる原因には、ＣＰＵのソフトウェアのバグが原因による呼処理のトラブルのために、ＣＰＵのＲＡＭ（ランダム・アクセス・メモリ）のメモリ使用率が増加してしまうことがあるが、メモリ使用率が増加したままでの交換機の運用は呼処理のトラブルの原因となりＣＰＵの停止を招くことにもなっている。
【０００６】
【発明が解決しようとする課題】
上述した従来の移動通信システムの発信規制方式は、トラヒックが瞬間的に輻輳状態になっただけの場合でも、自動的に呼接続の規制制御を行ってしまうので、呼接続の規制制御を行ったばかりですぐに呼接続の規制制御を解除するという無用な規制動作が行われてしまうという欠点を有している。
【０００７】
また、近年のコンピュータ技術及び通信技術の急速な発展により、さまざまな通信サービスが行われるようになってきており、通信サービスの多様化が交換機に内蔵されるＣＰＵにかかる負担をますます重くして、トラヒックの輻輳状況はそれほどでなくても、交換機に内蔵されるＣＰＵの負担が過大になって交換機の交換機能を低下させてしまうという欠点を有している。
【０００８】
本発明の目的は、トラヒックが瞬間的に輻輳状態になった場合における無用な規制動作を防いでＣＰＵの負担増を抑え、ＣＰＵの負担増による交換機能の低下を防ぐことを容易にする移動通信システムの発信規制方式を提供することにある。
【０００９】
【課題を解決するための手段】
第１の発明の移動通信システムの発信規制方式は、
（Ａ）交換機からトラヒック量を示すトラヒックデータをあらかじめ定められた一定の時間間隔で取得し、前記トラヒックデータが示すトラヒック量があらかじめ定められた第１のしきい値を超えたとき、前記トラヒック量があらかじめ定められた前記第１のしきい値を超えたことを示すトラヒック異常信号を出力するトラヒック監視手段、
（Ｂ）前記トラヒック異常信号を入力したとき、あらかじめ定められた第１の時間が経過した後、前記トラヒック監視手段により前記交換機から新たに取得されたトラヒックデータが示すトラヒック量も再度前記第１のしきい値を超えていたことにより前記トラヒック監視手段が出力した新たなトラヒック異常信号を入力した場合に、前記交換機に発信規制制御信号を出力する第１の発信規制制御手段、
を備え、前記トラヒック監視手段は、前記第１の発信規制制御手段が前記交換機に発信規制制御信号を出力した後で、前記交換機から取得したトラヒックデータが示すトラヒック量が前記あらかじめ定められた第１のしきい値を超えない正常値に復帰したとき、前記交換機から取得したトラヒックデータが示すトラヒック量が正常値に復帰したことを示すトラヒック正常信号を出力し、前記第１の発信規制制御手段は、前記トラヒック正常信号を入力したとき、あらかじめ定められた第１の時間が経過してから前記トラヒック監視手段が前記交換機から新たに取得したトラヒックデータが示すトラヒック量も再度正常値に復帰していることにより前記トラヒック監視手段が出力した新たなトラヒック正常信号を入力した場合に、前記交換機に発信規制解除信号を出力することを特徴として構成される。
【００１０】
また、第２の発明の移動通信システムの発信規制方式は、
（Ａ）交換機を構成するセントラル・プロセッサ・ユニットのランダム・アクセス・メモリのメモリ使用率を示すメモリ使用率データをあらかじめ定められた一定の時間間隔で前記交換機から取得し、前記メモリ使用率データが示すメモリ使用率が、あらかじめ定められた第２のしきい値を超えたとき、前記メモリ使用率が前記あらかじめ定められた第２のしきい値を超えたことを示すメモリ使用率異常信号を出力するメモリ使用率監視手段、
（Ｂ）前記メモリ使用率異常信号を入力したとき、あらかじめ定められた第２の時間が経過した後、前記メモリ使用率監視手段により前記交換機から新たに取得されたメモリ使用率データが示すメモリ使用率も再度前記第２のしきい値を超えていたことにより前記メモリ使用率監視手段が出力した新たなメモリ使用率異常信号を入力した場合に、前記交換機に発信規制制御信号を出力する第２の発信規制制御手段、
を備え、前記メモリ使用率監視手段は、前記第２の発信規制制御手段が前記交換機に発信規制制御信号を出力した後で、前記交換機から取得したメモリ使用率データが示すメモリ使用率が前記あらかじめ定められた第２のしきい値を超えない正常値に復帰したとき、前記交換機から取得したメモリ使用率データが示すメモリ使用率が正常値に復帰したことを示すメモリ使用率正常信号を出力し、前記第２の発信規制制御手段は、前記メモリ使用率正常信号を入力したとき、あらかじめ定められた第２の時間が経過してから前記メモリ使用率監視手段が前記交換機から新たに取得したメモリ使用率データが示すメモリ使用率も再度正常値に復帰していることにより前記前記メモリ使用率監視手段が出力した新たなメモリ使用率正常信号を入力した場合に、前記交換機に発信規制解除信号を出力することを特徴として構成される。
【００１１】
また、第３の発明の移動通信システムの発信規制方式は、
（Ａ）交換機からトラヒック量を示すトラヒックデータをあらかじめ定められた一定の時間間隔で取得し、前記トラヒックデータが示すトラヒック量があらかじめ定められた第１のしきい値を超えたとき、前記トラヒック量が前記あらかじめ定められた第１のしきい値を超えたことを示すトラヒック異常信号を出力するトラヒック監視手段、
（Ｂ）前記交換機を構成するセントラル・プロセッサ・ユニットのランダム・アクセス・メモリのメモリ使用率を示すメモリ使用率データをあらかじめ定められた一定の時間間隔で前記交換機から取得し、前記メモリ使用率データが示すメモリ使用率が、あらかじめ定められた第２のしきい値を超えたとき、前記メモリ使用率が前記あらかじめ定められた第２のしきい値を超えたことを示すメモリ使用率異常信号を出力するメモリ使用率監視手段、（Ｃ）前記トラヒック異常信号が入力され、あらかじめ定められた第１の時間が経過した後、前記トラヒック監視手段により前記交換機から新たに取得されたトラヒックデータが示すトラヒック量も再度前記第１のしきい値を超えていたことにより前記トラヒック監視手段が出力した新たなトラヒック異常信号を入力した場合か、又は、前記メモリ使用率異常信号が入力され、あらかじめ定められた第２の時間が経過した後、前記メモリ使用率監視手段により前記交換機から新たに取得されたメモリ使用率データが示すメモリ使用率も再度前記第２のしきい値を超えていたことにより前記メモリ使用率監視手段が出力した新たなメモリ使用率異常信号を入力した場合かのいずれかの場合に、前記交換機に発信規制制御信号を出力する第２の発信規制制御手段、
を備え、前記トラヒック監視手段は、トラヒック量が前記第１のしきい値を超えていたことにより前記第２の発信規制制御手段が前記交換機に発信規制制御信号を出力した後で、前記トラヒックデータが示すトラヒック量が前記あらかじめ定められた第１のしきい値と同じ値か、又は前記第１のしきい値を下回って正常値に復帰したとき、前記交換機から取得したトラヒックデータが示すトラヒック量が正常値に復帰したことを示すトラヒック正常信号を出力し、前記第２の発信規制制御手段は、前記トラヒック正常信号を入力した後、あらかじめ定められた第１の時間が経過してから前記トラヒック監視手段が前記交換機から新たに取得したトラヒックデータが示すトラヒック量も再度正常値に復帰していることを、前記トラヒック監視手段からの新たなトラヒック正常信号を入力したとき認識し、前記メモリ使用率監視手段は、メモリ使用率が前記第２のしきい値を超えていたことにより前記第２の発信規制制御手段が前記交換機に発信規制制御信号を出力した後で、前記メモリ使用率が前記あらかじめ定められた第２のしきい値と同じ値か、又は前記第２のしきい値を下回って正常値に復帰したとき、前記交換機から取得したメモリ使用率データが示すメモリ使用率が正常値に復帰したことを示すメモリ使用率正常信号を出力し、前記第２の発信規制制御手段は、前記メモリ使用率正常信号を入力した後、あらかじめ定められた第２の時間が経過してから前記メモリ使用率監視手段が前記交換機から新たに取得したメモリ使用率データが示すメモリ使用率も再度正常値に復帰していることを、前記メモリ使用率監視手段からの新たなメモリ使用率正常信号を入力したとき認識し、前記第２の発信規制制御手段が、前記トラヒック量と前記メモリ使用率とがともに正常に復帰した状態となったことを認識したとき、前記交換機に発信規制解除信号を出力することを特徴として構成される。
【００１５】
【発明の実施の形態】
次に、本発明の実施の形態について図面を参照して説明する。
【００１６】
図１は、本発明の移動通信システムの発信規制方式の実施の一形態を示すブロック図である。
【００１７】
図１に示す本実施の形態の移動通信システムの発信規制方式は、あらかじめ定められた一定の時間間隔で、交換機４からトラヒック量を示すトラヒックデータ１１を取得し、トラヒックデータ１１が示すトラヒック量の値が、トラヒック量の異常を検出するためにあらかじめ定められたトラヒック量のしきい値（第１のしきい値）を超えたとき、トラヒック量がそのしきい値を超えたことを示すトラヒック異常信号１６を出力し、また、トラヒック異常信号１６が出力された後に、交換機４から取得したトラヒックデータ１１が示すトラヒック量が上記トラヒック量のしきい値と同じ値であるか、又はそのしきい値を下回ってトラヒック量が正常値に復帰したとき、トラヒックデータ１１が示すトラヒック量が正常値に復帰したことを示すトラヒック正常信号１２を出力するトラヒック監視手段１と、交換機４を構成するＣＰＵ（図示せず）内蔵のＲＡＭ（ランダム・アクセス・メモリ：図示せず）のメモリ使用率を示すメモリ使用率データ１３を、あらかじめ定められた一定の時間間隔で交換機４から取得し、メモリ使用率データ１３が示すメモリ使用率が、メモリ使用率の異常を検出するためにあらかじめ定められたメモリ使用率のしきい値（第２のしきい値）を超えたとき、メモリ使用率がそのしきい値を超えたことを示すメモリ使用率異常信号１７を出力し、ＣＰＵのＲＡＭのメモリ使用率が上記メモリ使用率のしきい値と同じであるか、又はメモリ使用率のしきい値を下回ったとき、メモリ使用率が正常値に復帰したことを示すメモリ使用率正常信号１４を出力するメモリ使用率監視手段２と、トラヒック異常信号１６を入力したときあらかじめ定められた一定の時間（第１の時間）が経過した後も、トラヒック監視手段１から再度トラヒック異常信号１６を入力した場合、又は、メモリ使用率異常信号１７を入力したときあらかじめ定められた一定の時間（第２の時間）が経過した後も、メモリ使用率監視手段２から再度メモリ使用率異常信号１７を入力した場合に、交換機４に発信規制制御信号１５を出力し、また、トラヒック正常信号１２を入力したときあらかじめ定められた一定の時間（第１の時間）が経過した後も、トラヒック監視手段１から再度トラヒック正常信号１２を入力した場合、交換機４に発信規制解除制御信号１９を出力し、又は、メモリ使用率正常信号１４を入力したときあらかじめ定められた一定の時間（第２の時間）が経過した後も、メモリ使用率監視手段２から再度メモリ使用率正常信号１４を入力した場合に、交換機４に発信規制解除制御信号１９を出力し、トラヒック異常及びメモリ使用率異常の両方の異常により交換機４に発信規制制御を行っている場合には、トラヒック異常及びメモリ使用率異常の両方が共に正常に復帰したときに交換機４に発信規制解除制御信号１９を出力する発信規制制御手段３とから構成される。
【００１８】
次に、動作を説明する。
【００１９】
最初に、トラヒック監視手段１の動作概要を説明する。
【００２０】
図１において、トラヒック監視手段１は、発信規制制御手段３からのタイミング信号１８により、あらかじめ定められた一定の時間間隔で、交換機４からトラヒック量を示すトラヒックデータ１１を取得し、トラヒックデータ１１を取得するごとに、取得したトラヒックデータ１１を、あらかじめ定められたトラヒック量のしきい値と照合する。上記あらかじめ定められたトラヒック量のしきい値は、トラヒック監視手段１に内蔵されるメモリ（図示せず）にあらかじめ記憶される。
【００２１】
照合の結果、交換機４から取得したトラヒックデータ１１が示すトラヒック量が、あらかじめ定められたトラヒック量のしきい値と同じか、又はあらかじめ定められたトラヒック量のしきい値を下回った正常値であるときは、すなわち、トラヒックデータ１１が示すトラヒック量があらかじめ定められたトラヒック量のしきい値を超えない値であるときは、トラヒック監視手段１は、トラヒック量が正常であることを示すトラヒック正常信号１２を発信規制制御手段３へ出力する。
【００２２】
上記の交換機４からトラヒック量を示すトラヒックデータ１１の取得、トラヒック量のしきい値との照合及びトラヒック正常信号１２の発信規制制御手段３への出力の一連の動作は、発信規制制御手段３からのタイミング信号１８により起動され、あらかじめ定められた一定の時間間隔で行われる。すなわち、発信規制制御手段３からのタイミング信号１８により一連の動作が起動されるごとに、トラヒック量が正常である間は、その都度、トラヒック監視手段１からトラヒック正常信号１２が発信規制制御手段３へ出力される。
【００２３】
もし交換機４から取得したトラヒックデータ１１が示すトラヒック量が、上記のトラヒック量のしきい値を超えたときは、トラヒック監視手段１は、取得したトラヒックデータ１１が示すトラヒック量がトラヒック量のしきい値を超えたことを示すトラヒック異常信号１６を発信規制制御手段３へ出力する。
【００２４】
上記の交換機４からトラヒック量を示すトラヒックデータ１１の取得、トラヒック量のしきい値との照合及びトラヒック異常信号１６の発信規制制御手段３への出力の一連の動作は、発信規制制御手段３からのタイミング信号１８により起動され、あらかじめ定められた一定の時間間隔で行われる。すなわち、発信規制制御手段３からのタイミング信号１８により一連の動作が起動されるごとに、トラヒック量が正常に復帰するまでは、その都度、トラヒック監視手段１からトラヒック異常信号１６が発信規制制御手段３へ出力される。
【００２５】
次に、メモリ使用率監視手段２の動作概要を説明する。
【００２６】
メモリ使用率監視手段２も、トラヒック監視手段１と同様に、発信規制制御手段３からのタイミング信号１８により、あらかじめ定められた一定の時間間隔で、交換機４を構成するＣＰＵのＲＡＭのメモリ使用率を示すメモリ使用率データ１３を交換機４から取得し、メモリ使用率データ１３を取得するごとに、取得したメモリ使用率データ１３を、あらかじめ定められたメモリ使用率のしきい値と照合する。上記あらかじめ定められたメモリ使用率のしきい値は、メモリ使用率監視手段２に内蔵されるメモリ（図示せず）にあらかじめ記憶される。
【００２７】
照合の結果、交換機４から取得したメモリ使用率データ１３が示すメモリ使用率が、あらかじめ定められたメモリ使用率のしきい値を超えない値であるときは、その都度メモリ使用率が正常であることを示すメモリ使用率正常信号１４を発信規制制御手段３へ出力する。
【００２８】
また、交換機４から取得したメモリ使用率データ１３が示すメモリ使用率が、上記のメモリ使用率のしきい値を超えたときは、メモリ使用率監視手段２は、取得したメモリ使用率データ１３が示すメモリ使用率がメモリ使用率のしきい値を超えたことを示すメモリ使用率異常信号１７を発信規制制御手段３へ出力する。メモリ使用率データ１３が示すメモリ使用率が正常に復帰するまでは、メモリ使用率監視手段２は、メモリ使用率データ１３を取得するごとに、その都度メモリ使用率異常信号１７を発信規制制御手段３へ出力する。
【００２９】
次に、発信規制制御手段３の動作概要を説明する。
【００３０】
発信規制制御手段３は、トラヒック監視手段１から出力されるトラヒック正常信号１２又はトラヒック異常信号１６、及びメモリ使用率監視手段２から出力されるメモリ使用率正常信号１４又はメモリ使用率異常信号１７の入力を監視し、これらの信号が入力されたら、トラヒック正常信号１２かトラヒック異常信号１６かの識別、メモリ使用率正常信号１４かメモリ使用率異常信号１７かの識別を行う。例えば、トラヒック監視手段１からトラヒック異常信号１６を入力したときは、発信規制制御手段３は、内蔵する第１のタイマー（図示せず）を起動し、あらかじめ定められた一定の時間（第１の時間）が経過した後、再度トラヒック監視手段１からトラヒック異常信号１６が入力される場合は、交換機４に発信規制制御信号１５を出力する。
【００３１】
又、発信規制制御手段３は、メモリ使用率監視手段２からメモリ使用率異常信号１７を入力した場合でも、上記のトラヒック異常信号１６の入力の場合と同様に、内蔵する第２のタイマー（図示せず）を起動し、あらかじめ定められた一定の時間（第２の時間）が経過した後、再度メモリ使用率監視手段２からメモリ使用率異常信号１７が出力される場合は、交換機４に発信規制制御信号１５を出力する。
【００３２】
但し、先にトラヒック異常が発生し交換機４に発信規制制御信号１５を出力した後でメモリ使用率異常が発生した場合は、トラヒック異常の発生で既に交換機４に発信規制制御信号１５が出力されているので、後発のメモリ使用率異常による交換機４への発信規制制御信号１５の出力は行われない。また、この場合と逆に、メモリ使用率異常が先に発生し交換機４に発信規制制御信号１５を出力した後でトラヒック異常が発生した場合でも、後発のトラヒック異常による交換機４への発信規制制御信号１５の出力は行われない。
【００３３】
次に、これまで交換機４のトラヒック量が正常であった状態から、交換機４のトラヒック量が増えて、トラヒック監視手段１が交換機４から取得したトラヒックデータ１１が示すトラヒック量が、あらかじめ定められたトラヒック量のしきい値を超える状態になった場合の動作の詳細について説明する。
【００３４】
上記に述べたように、トラヒック量の増加によりトラヒックデータ１１が示すトラヒック量が、あらかじめ定められたトラヒック量のしきい値を超えたことをトラヒック監視手段１が検出すると、トラヒック監視手段１は、トラヒック異常信号１６を発信規制制御手段３へ出力する。
【００３５】
図２は、図１に示す発信規制制御手段３の発信規制制御動作の一例を示す流れ図である。
【００３６】
発信規制制御手段３は、トラヒック監視手段１から出力される信号を監視し、トラヒック異常信号１６を入力すると（図２のＳ１：Ｓはステップを示す）、トラヒック監視手段１でトラヒック量の異常が検出されたのが瞬間的なものであるか否かを確認するための動作を行う。すなわち、あらかじめ定められた第１の時間が経過した後でも、トラヒック監視手段１でトラヒック量の異常が検出されるか確認するために、内蔵する第１のタイマーを駆動してこの第１のタイマーにより、上記のあらかじめ定められた第１の時間の経過を計数させる。第１のタイマーにより上記のあらかじめ定められた第１の時間の経過を計数している間でも、トラヒック監視手段１では、交換機４からトラヒック量を示すトラヒックデータ１１の取得、及びトラヒック量のしきい値との照合の動作が行われ、トラヒック異常の状態が継続している場合は照合の動作の都度、トラヒック異常信号１６の発信規制制御手段３への出力が行われる。発信規制制御手段３で上記の第１の時間の経過の計数が行われている間でも、トラヒック異常の状態が解消した場合はトラヒック監視手段１からトラヒック正常信号１２が発信規制制御手段３へ出力される。発信規制制御手段３は、第１のタイマーにより上記第１の時間の経過の計数動作が行われている間は、トラヒック監視手段１から出力されるトラヒック異常信号１６及びトラヒック正常信号１２の入力受け付け動作は停止される。
【００３７】
発信規制制御手段３では、上述したあらかじめ定められた第１の時間の経過の計数動作が終了したとき、上記のトラヒック監視手段１から出力されるトラヒック異常信号１６（又はトラヒック異常の状態が解消した場合はトラヒック正常信号１２）の入力動作の停止が解除されるので、発信規制制御手段３は、トラヒック監視手段１から出力されるトラヒック異常信号１６（又はトラヒック異常の状態が解消した場合はトラヒック正常信号１２）を入力することができるようになり、トラヒック監視手段１から出力される信号の入力受け付け動作を再開する（Ｓ２）。
【００３８】
トラヒック監視手段１が新たに交換機４からトラヒックデータ１１を取得し、このトラヒックデータ１１が示すトラヒック量を、上記トラヒック量のしきい値と照合し、この照合の結果、トラヒック監視手段１からトラヒック異常信号１６が出力された場合は（Ｓ３）、発信規制制御手段３は、トラヒック監視手段１が新たに交換機４から取得したトラヒックデータ１１が示すトラヒック量が、あらかじめ定められたトラヒック量のしきい値を超えた値の状態で継続しているものとして、トラヒック監視手段１から出力されたトラヒック異常信号１６に起因して発信規制状態になったことを内蔵する発信規制状態記憶メモリ（図示せず）に記憶するとともに、交換機４に発信規制制御信号１５を出力する（Ｓ４）。
【００３９】
なお、図２のステップ３において、トラヒック監視手段１における上記の照合で、新たに交換機４から取得したトラヒックデータ１１が示すトラヒック量が、あらかじめ定められたトラヒック量のしきい値を超えておらずトラヒック量が正常な状態に復帰している状態となっていることが検出されてトラヒック監視手段１からトラヒック正常信号１２が出力された場合は、発信規制制御手段３は、内蔵する第１のタイマーを駆動する起因となった、トラヒック監視手段１から出力されたトラヒック異常信号１６は瞬間的なトラヒック異常によるものであったとして、発信規制状態時に行う、内蔵する発信規制状態記憶メモリへの発信規制状態になったことの記憶処理を行わず、また交換機４への発信規制制御信号１５の出力も行わずに、発信規制制御手段３の発信規制制御動作は図２のステップ１に戻る。
【００４０】
また、図２のステップ１において、トラヒック異常信号１６の入力がなく、トラヒック監視手段１からはトラヒック正常信号１２が出力される場合は、発信規制制御手段３の発信規制制御動作はステップ１に戻る。
【００４１】
なお、発信規制制御手段３が交換機４に発信規制制御信号１５を出力する前に、上記の第１のタイマーによるあらかじめ定められた第１の時間の計数が必要なのは、上述したようにトラヒック量がしきい値を超える異常が瞬間的なものであっても、それに従って発信規制が行われてしまうのを防ぐためである。
【００４２】
上記に、交換機４のトラヒック量の正常な状態からトラヒック量が増えて、トラヒック監視手段１が交換機４から取得したトラヒックデータ１１が示すトラヒック量が、あらかじめ定められたトラヒック量のしきい値を超える状態になった場合の動作について説明したが、交換機４を構成するＣＰＵのＲＡＭのメモリ使用率が正常であった状態からメモリ使用率が増えて、メモリ使用率監視手段２が交換機４から取得したメモリ使用率データ１３が示すメモリ使用率が、あらかじめ定められたメモリ使用率のしきい値を超える状態になった場合の動作についても同様な動作が行われる。
【００４３】
すなわち、交換機４を構成するＣＰＵのＲＡＭのメモリ使用率が増えて、メモリ使用率監視手段２が交換機４から取得したメモリ使用率データ１３が示すメモリ使用率が、あらかじめ定められたメモリ使用率のしきい値を超えたことを、メモリ使用率監視手段２が検出したとき、メモリ使用率監視手段２は、メモリ使用率異常信号１７を発信規制制御手段３へ出力する。
【００４４】
発信規制制御手段３は、メモリ使用率監視手段２から出力されるメモリ使用率異常信号１７入力したとき、内蔵する第２のタイマーを駆動してこの第２のタイマーにより時間を計数し、あらかじめ定められた第２の時間が経過したとき、新たに交換機４から取得したメモリ使用率データ１３が示すメモリ使用率を、再度上記メモリ使用率のしきい値と照合する。このとき、新たに交換機４から取得したメモリ使用率データ１３が示すメモリ使用率が、あらかじめ定められたメモリ使用率のしきい値を超えた状態が継続していることが検出されたとき、発信規制制御手段３は、内蔵する発信規制状態記憶メモリに、メモリ使用率監視手段２から出力されるメモリ使用率異常信号１７に起因する発信規制制御動作に基づく発信規制状態になったことを記憶し、交換機４に発信規制制御信号１５を出力する。
【００４５】
もし、上記の照合で、新たに交換機４から取得したメモリ使用率データ１３が示すメモリ使用率が、あらかじめ定められたメモリ使用率のしきい値を超えていないことが検出されたときは、発信規制制御手段３は、交換機４への発信規制制御信号１５の出力を行わない。ここで、発信規制制御手段３が交換機４に発信規制制御信号１５を出力するまでに、上記の第２のタイマーにより計数して得られる、あらかじめ定められた第２の時間の経過が必要なのは、トラヒック異常の場合と同様に、メモリ使用率の瞬間的な増加による発信規制が行われるのを防ぐためである。
【００４６】
上記のトラヒック監視手段１及びメモリ使用率監視手段２の動作は、発信規制制御手段３からのタイミング信号１８によりそれぞれ独自に行われる。また、トラヒック監視手段１から出力されるトラヒック異常信号１６を入力して行われる上記の発信規制制御手段３の動作と、メモリ使用率監視手段２から出力されるメモリ使用率異常信号１７を入力して行われる上記の発信規制制御手段３の動作とは、上記の交換機４に発信規制制御信号１５を出力する動作を除いては、発信規制制御手段３の内部において、それぞれ別々に行われる。
【００４７】
次に、トラヒック異常に起因する発信規制制御が行われて発信規制の状態にあるときの発信規制の解除動作について説明する。
【００４８】
図３は、図１に示す発信規制制御手段３の発信規制解除制御動作の一例を示す流れ図である。
【００４９】
図１において、トラヒック異常に起因する発信規制の状態にあるときでも、トラヒック監視手段１は、発信規制制御手段３からのタイミング信号１８により、交換機４からトラヒック量を示すトラヒックデータ１１の取得、トラヒック量のしきい値との照合及びトラヒック異常信号１６の発信規制制御手段３への出力の一連の動作を行っているが、交換機４から取得したトラヒックデータ１１が示すトラヒック量が、あらかじめ定められたトラヒック量のしきい値を超えない状態になったとき、すなわち、トラヒック量が正常な状態に復帰してトラヒック監視手段１からトラヒック正常信号１２が発信規制制御手段３に出力されて発信規制制御手段３がトラヒック正常信号１２を入力すると（図３のＳ１１）、発信規制制御手段３は、内蔵する第１のタイマーを駆動してこの第１のタイマーにより時間の計数動作を開始する。発信規制制御手段３は、第１のタイマーにより上記第１の時間の経過の計数が行われている間は、トラヒック監視手段１から出力されるトラヒック正常信号１２及びトラヒック異常信号１６の入力受け付け動作を停止する。発信規制制御手段３は、あらかじめ定められた第１の時間が経過したことを第１のタイマーの計数動作の終了により認識すると、トラヒック監視手段１から出力されるトラヒック正常信号１２、又はトラヒック異常状態が生じた場合はトラヒック異常信号１６の入力受け付け動作を再開する（Ｓ１２）。
【００５０】
トラヒック監視手段１からの信号の入力受け付け動作の再開後に、トラヒック監視手段１からトラヒック正常信号１２が再度出力されてきたときは（Ｓ１３）、発信規制制御手段３は、内蔵する発信規制状態記憶メモリの、トラヒック異常信号１６に起因する発信規制状態の記憶を消去し、交換機４に発信規制解除制御信号１９を出力する（Ｓ１４）。
【００５１】
なお、図３のステップ１３において、トラヒック監視手段１からトラヒック異常信号１６が出力されてきたときは、発信規制制御手段３の発信規制解除制御動作は図３のステップ１１に戻る。
【００５２】
また、図３のステップ１１において、トラヒック正常信号１２の入力がなく、トラヒック監視手段１からはトラヒック異常信号１６が出力される場合は、発信規制制御手段３の発信規制解除制御動作はステップ１１に戻る。
【００５３】
次に、メモリ使用率異常信号１７に起因する発信規制制御動作により発信規制制御が行われて発信規制の状態にあるときの発信規制の解除動作について説明する。
【００５４】
図１において、メモリ使用率異常信号１７に起因する発信規制の状態にあるときでも、メモリ使用率監視手段２も、発信規制制御手段３からのタイミング信号１８により、交換機４からメモリの使用率を示すメモリ使用率データ１３の取得、メモリ使用率のしきい値との照合及びメモリ使用率異常信号１７の発信規制制御手段３への出力の一連の動作を行っているが、交換機４から取得したメモリ使用率データ１３が示すメモリ使用率が、あらかじめ定められたメモリ使用率のしきい値を超えなくなったときは、すなわち、メモリ使用率が正常に復帰し、メモリ使用率監視手段２からメモリ使用率正常信号１４が発信規制制御手段３へ出力されると、発信規制制御手段３は、メモリ使用率正常信号１４を入力したとき、内蔵する第２のタイマーを駆動してこの第２のタイマーにより時間の計数を開始する。発信規制制御手段３は、あらかじめ定められた第２の時間が経過したことを第２のタイマーにより認識すると、その後にメモリ使用率監視手段２からメモリ使用率正常信号１４が再度出力されてきたときは、発信規制制御手段３は、内蔵する発信規制状態記憶メモリの、メモリ使用率異常信号１７に起因する発信規制状態の記憶を消去し、交換機４に発信規制解除制御信号１９を出力する。
【００５５】
上記の説明では、トラヒック監視手段１から出力されるトラヒック異常信号１６に起因する発信規制制御動作と、メモリ使用率監視手段２から出力されるメモリ使用率異常信号１７に起因する発信規制制御動作とがそれぞれ別々に行われる場合について説明したが、次に、両方の異常信号に起因する発信規制制御動作が重なって行われた場合について説明する。すなわち、トラヒック量とメモリ使用率の両方の異常信号に起因する発信規制制御動作が重なって行われる場合の発信規制制御手段３における動作で、例えば、トラヒック異常信号１６に起因する発信規制制御動作が少し先行して行われ、その後に続いてメモリ使用率異常信号１７に起因する発信規制制御動作が行われ、かつ、トラヒック正常信号１２に起因する発信規制解除制御動作がメモリ使用率正常信号１４に起因する発信規制制御動作に先行して行われる場合の動作について説明する。
【００５６】
最初に、トラヒック量とメモリ使用率の両方の異常信号に起因する発信規制制御動作が重なって行われる場合について説明する。
【００５７】
まず、トラヒック異常信号１６に起因する発信規制制御動作では、発信規制制御手段３は、トラヒック監視手段１から出力されるトラヒック異常信号１６に起因する発信規制制御動作を行い、発信規制状態になったことを内蔵する発信規制状態記憶メモリに記憶して交換機４に発信規制制御信号１５を出力する。この後で、発信規制制御手段３が、メモリ使用率監視手段２から出力されるメモリ使用率異常信号１７を入力すると、発信規制制御手段３は、メモリ使用率異常信号１７に起因する発信規制制御動作を行い、このメモリ使用率異常信号１７に起因する発信規制制御動作に基づいた発信規制状態になったことを内蔵する発信規制状態記憶メモリに記憶する。しかし、発信規制制御手段３は、既にトラヒック異常信号１６に起因する発信規制制御動作において、トラヒック異常信号１６に起因する発信規制状態になったことを記憶しており、また交換機４に発信規制制御信号１５を出力済みであるので、メモリ使用率異常信号１７に起因する発信規制制御動作では交換機４への発信規制制御信号１５の出力は行わない。このとき、発信規制制御手段３の内蔵する発信規制状態記憶メモリには、トラヒック異常信号１６に起因する発信規制制状態を示す記憶とともに、メモリ使用率異常信号１７に起因する発信規制制御状態を示す記憶が残される。
【００５８】
次に、トラヒック異常及びメモリ使用率異常で発信規制制御状態にあるときに、トラヒック正常及びメモリ使用率正常の両方の正常信号に起因する発信規制解除制御動作が相次いで行われる場合、すなわち、例えばトラヒック量の正常信号に起因する発信規制解除制御動作が先に行われ、次いでメモリ使用率の正常信号に起因する発信規制解除制御動作が重なって行われる場合について説明する。
【００５９】
発信規制制御手段３は、トラヒック監視手段１から出力されるトラヒック正常信号１２を入力すると、トラヒック正常信号１２に起因する発信規制解除制御動作に入り、発信規制状態記憶メモリに記憶されていたトラヒック異常に起因する発信規制状態の記憶を消去する。しかし、発信規制制御手段３の発信規制状態記憶メモリには、メモリ使用率異常に起因する発信規制状態の記憶を有しており、このメモリ使用率異常に起因する発信規制状態の記憶が未だ残っているので、発信規制制御手段３から交換機４への発信規制解除制御信号１９の出力はこの段階では行われない。
【００６０】
次に、発信規制制御手段３は、メモリ使用率監視手段２から出力されるメモリ使用率正常信号１４を入力すると、メモリ使用率正常信号１４に起因する発信規制解除制御動作に入り、発信規制状態記憶メモリに記憶されていたメモリ使用率異常に起因する発信規制状態の記憶を消去する。発信規制制御手段３は、このときは既にトラヒック異常信号１６に起因する発信規制状態の記憶を消去しているので、発信規制状態の記憶としてはトラヒック異常及びメモリ使用率異常のそれぞれに起因する発信規制状態の記憶を全て消去したことになり、発信規制制御手段３はトラヒック異常及びメモリ使用率異常は共に解消されているものと認識して、交換機４へ発信規制解除制御信号１９を出力する。
【００６１】
なお、上記の説明では、交換機４から取得したトラヒックデータ１１が示すトラヒック量と照合されるトラヒック量のしきい値、及び交換機４から取得したメモリ使用率データ１３が示すメモリ使用率と照合されるメモリ使用率のしきい値は、それぞれあらかじめ定められた値として説明しているが、それぞれのしきい値を記憶している、トラヒック監視手段１及びメモリ使用率監視手段２に内蔵されているメモリを書き換えることで、システムに合った最適なタイミングで交換機４に発信規制制御信号１５を出力し、また、発信規制解除信号１９を出力できるようにするために、それぞれのしきい値を変更することのできるしきい値変更手段を設けてもよい。
【００６２】
上記のように、本発明では、ＣＰＵのＲＡＭのメモリ使用率が増加したときには、発信規制制御を行うことにより呼処理のトラブルの原因を減らし、ＣＰＵの負担を減じてＣＰＵの負担増による交換機４能の低下を防ぐことを容易することができる。
【００６３】
【発明の効果】
以上説明したように、本発明の移動通信システムの発信規制方式は、交換機からトラヒック量を示すトラヒックデータをあらかじめ定められた一定の時間間隔で取得し、前記トラヒックデータが示すトラヒック量が、あらかじめ定められたトラヒック量のしきい値を超えたとき、あらかじめ定められた時間が経過してから交換機から新たに取得したトラヒックデータが示すトラヒック量も再度前記しきい値を超えていた場合に交換機に発信規制制御信号を出力するように構成することにより、トラヒックが瞬間的に輻輳状態になった場合における無用な規制動作を防いでＣＰＵの負担増を抑え、ＣＰＵの負担増による交換機能の低下を防ぐことを容易にするという効果を有している。
【００６４】
また、上記の構成に加えて、交換機を構成するＣＰＵのＲＡＭメモリの使用率を示すメモリ使用率データを取得し、メモリ使用率データが示すメモリ使用率が、あらかじめ定められたメモリ使用率のしきい値を超えたとき、あらかじめ定められた時間が経過してから交換機から新たに取得したメモリ使用率データが示すメモリ使用率も再度前記しきい値を超えていた場合に交換機に発信規制制御信号を出力するように構成することにより、ＣＰＵの負担の増大をさらに抑えて交換機能の低下を防ぐことをさらに容易にすることができるという効果を有している。
【図面の簡単な説明】
【図１】本発明の移動通信システムの発信規制方式の実施の一形態を示すブロック図である。
【図２】図１に示す発信規制制御手段の発信規制制御動作の一例を示す流れ図である。
【図３】図１に示す発信規制制御手段の発信規制解除制御動作の一例を示す流れ図である。
【符号の説明】
１    トラヒック監視手段
２    メモリ使用率監視手段
３    発信規制制御手段
４    交換機
１１    トラヒックデータ
１２    トラヒック正常信号
１３    メモリ使用率データ
１４    メモリ使用率正常信号
１５    発信規制制御信号
１６    トラヒック異常信号
１７    メモリ使用率異常信号
１８    タイミング信号
１９    発信規制解除制御信号
【図１】
0003573063.tif 000002
【図２】
0003573063.tif 000003
【図３】
0003573063.tif 000004